(57)【特許請求の範囲】
【請求項１】
無孔プラスチックライナでカバーされ、ローコストでスイミングプール、または、熱帯海と同様の色、透明度、および、清浄度の特徴を有するレクリエーションの使用のための１５，０００ｍ３より大きい水体を含む構造の底面を十分に掃除するための吸込み機器であって、
前記吸込み機器は、排気システムによって前記底面から不純物を吸入することによって操作し、かつ、
前記吸込み機器は：
−  サポートフレーム（１０）と、
−  前記サポートフレームをカバーし、前記排気システムと流体的に連通している少なくとも１つの吸込み接続を含んでいるカバー（６）と、
−  前記構造の前記底面の周辺に、吸込み機器を動かすために推進する機器と、
−  掃除される前記底面の上の吸込み機器の動きのために、前記サポートフレームに動作可能に結合されるローラー（１１）またはホイール（１２）と、
−  前記構造の前記底面から、沈殿する不純物を除去するために、前記サポートフレームに動作可能に結合される固定されたブラシライン（１６）と、
−  少なくとも１つの吸込み接続と流体的に連通しており、前記構造の前記底面から不純物を吸込むように配置され、構成されている底吸込管（２７）と、を具備し、
前記推進する機器は、少なくとも一人のオペレータを伴うボートである、吸込み機器。
【請求項２】
前記カバーは、樹脂材料（６）を具備し、前記サポートフレーム（１０）、前記ローラーまたはホイール、前記底吸込管、および、前記ブラシラインをカバーし、
前記サポートフレームは、その上部で引っ張りロッドとカップリングするための１つ以上の支持プレート（１）と、前記吸込み機器を引っ張り、ハンドリングし、および、持ち上げるための１つ以上のハンドル（５）と、前記カバーの周囲から下に延びている横方向の膜フラップ（７）と、を含んでいる、請求項１に係る吸込み機器。
【請求項３】
前記カバー（６）は、前記カバーの上部長さに沿って対応する補強されるカラーを介して延びている１つ以上の吸込み接続管（８）を更に含み、
各々の吸込み接続管は、一方の端部で前記少なくとも１つの吸込み接続に接続され、他方の端部で前記底吸込管に接続されている、請求項２に係る吸込み機器。
【請求項４】
前記サポートフレームは、底部分で一連の支持プレート（１９ａ）、および、せん孔またはスロットを有するプラテン（２１）を具備する、請求項１に係る吸込み機器。
【請求項５】
前記ローラー（１１）は、高密度ポリウレタンローラー（１１）であり、
前記ホイール（１２）は、自動に潤滑剤を入れられたプラスチックホイールである、請求項１に係る吸込み機器。
【請求項６】
前記底吸込管（２７）は、縦型ＰＶＣ管、並びに、一本の下の脚および２本の側面の脚を含む少なくとも１つのＴ字状のＰＶＣ管を具備する、請求項１に係る吸込み機器。
【請求項７】
前記支持プレート（１９ａ）は、前記ローラーまたはホイールに対して案内する機能を果たす支持軸（１９ｂ）のために使用される、請求項４に係る吸込み機器。
【請求項８】
前記せん孔またはスロットを有するプラテン（２１）は、プラスチックのベース、および、合成ポリエチレン剛毛を有するブラシを含むブラシライン（１６）を支持するために使用される、請求項４に係る吸込み機器。
【請求項９】
前記少なくとも１つの縦型ＰＶＣ管は、一方の端部で少なくとも１つの吸込み接続管（８）に接続され、および、別の端部で少なくとも１つのＴ字状のＰＶＣ管（９）の下の脚に接続され；
水平ＰＶＣ管が、少なくとも１つのＴ字状のＰＶＣ管の各々の側面の脚に、少なくとも１つの端部によって結合され、前記水平ＰＶＣ管が、構造から吸入され、とられるように、除去された不純物を運んでいる吸入された水が浸入する下方に対向する吸込開口（１４）を有する、請求項６に係る吸込み機器。
【請求項１０】
前記推進する機器は、前記構造の水面上のフローティング機器である、請求項１に係る吸込み機器。
【請求項１１】
前記フローティング機器は、ボート（３１）である、請求項１０に係る吸込み機器。
【請求項１２】
前記ボート（３１）は、エンジンを備えている、請求項１１に係る吸込み機器。
【請求項１３】
前記エンジンは、４サイクル機関である、請求項１２に係る吸込み機器。
【請求項１４】
前記ボート（３１）は、プロペラを備えている、請求項１１に係る吸込み機器。
【請求項１５】
前記プロペラは、プロテクションを備えている、請求項１４に係る吸込み機器。
【請求項１６】
前記吸込み機器は、０．６９ｍ２／ｓの率で表面の底を掃除する、請求項１に係る吸込み機器。
【請求項１７】
前記推進する機器は、リモートで機械的な牽引システムである、請求項１に係る吸込み機器。
【請求項１８】
端部の水平ＰＶＣ管は、それらの端部で閉じているキャップ（１７）を有する、請求項８に係る吸込み機器。
【請求項１９】
前記推進する機器は、連続的に前記構造の前記底面の周辺に吸込み機器を動かす、請求項１に係る吸込み機器。
【請求項２０】
前記少なくとも１つの吸込み接続は、ホースにて前記排気システムに流体的に連通する、請求項１に係る吸込み機器。
【発明の詳細な説明】
【技術分野】
【０００１】
本発明は、レクリエーションの使用のための大きい水体（ｗａｔｅｒ  ｂｏｄｉｅｓ）またはボリューム、例えばローコストでスイミングプール、または、熱帯海（ｔｒｏｐｉｃａｌ  ｓｅａｓ）と同様の優れたカラー、高透明度、および、清浄度の特徴を有する湖または池、特に１５，０００ｍ３より大きい水体を得る（すなわち、実施、および、維持する）ためのプロセスを開示する。本発明も、上述したプロセスを用いて水から移される粒子材料を引き出すための機器を具備する。さらにまた、本発明は、大きい水体またはボリュームを含むための構造を開示する。そして、それは前記プロセスを実行するために特別設計されている。移された材料を水から引き出す機器と共に傾瀉（ｄｅｃａｎｔａｔｉｏｎ）プロセスは、湖面移動のその機能特性を有する大容積構造の配置を加え、大きいボディまたはボリュームを有するシステムにおける非常に面倒で、および、非効率的である従来のスイミングプールに用いられているような従来の濾過を置き換えることを可能にする。
【背景技術】
【０００２】
栄養分（ｎｕｔｒｉｅｎｔ）が水に侵入するときに、酸素を使う有機体は、誘発された代謝アクティビティの結果として、溶存酸素を消費する。したがって、栄養分は溶存酸素利用率に対する要求を発揮する。そして、それは生物学的酸素要求量（ｂｉｏｌｏｇｉｃａｌ  ｏｘｙｇｅｎ  ｄｅｍａｎｄ：ＢＯＤ）と呼ばれている。もし媒体の有機材料の量が非常に高いのであるならば、それは溶存酸素濃度の減少に至ることができる。低酸素レベルにおいて、水の環境は、嫌気性種（ａｎａｅｒｏｂｉｃ  ｓｐｅｃｉｅｓ）の成長を進める。
【０００３】
嫌気性代謝は、エアロビクスプロセス（一般的に大きさで１桁を超える）より非常に遅くて、低い効率を有し、さまざまな中間の有機化合物（例えば有機酸、アルコール、メタン）を生成する。溶解性有機物の消費のより低い速度の結果として、これは、水の環境において累積する。
【０００４】
もし溶存酸素がそれが補充されることができるより高速で消費されるならば、水は脱酸素（ｄｅｏｘｙｇｅｎａｔｅ）を開始する。絶対好気性有機体は、微生物から魚まで、前記水において生き残らない。したがって、有機汚染物質は累積し、そして、更に嫌気性条件を確立し、そして、それは悪臭を放つ物質（例えば硫化物、および、揮発性のアミン）、および、部分的に酸化された有機化合物を生成する。
【０００５】
悪臭に加えて、嫌気性条件は人間の健康問題を引き起こし得る。その理由は、多くの嫌気性菌は病原性であることによる（たとえば破傷風、および、ボツリヌス菌中毒）。水が溶解された硫酸塩を含むときに、嫌気性菌を還元することはＨ２Ｓ（腐食性、および、有毒）を発生する。
【０００６】
水体内の生命のために必要な栄養分の量の増加は、富栄養化と呼ばれている。富栄養化は、水体の栄養分濃縮のプロセスとして規定される。それは、池、および、湖（富栄養湖）の老化プロセスの自然現象である。これに反して、若い水体（生命のために必要な栄養分に乏しい）は、貧栄養であると言われる。池の栄養分増加は、水生の動植物のより高産出を促進する。前記有機物質増加は、その沈殿物の有機内容の増加を次々に生じる。富栄養化は、表面的な水体の深刻な問題を生じることができる。
【０００７】
光合成は、無機材料から有機物質の作成を意味し、それ故、大量の有機物質の産出は、前は少量の量だけしかなかった。藻／プラントが死ぬときに、それらの成分は酸素消費量を発揮する有機栄養分において変わる。
【０００８】
光合成の活動の間、ＣＯ２は容易に消費され、したがって、ｐＨの上昇を生じる。そして、それは１０を超える値を達成することができる。夜の間に、逆の反応は生じる。そして、酸素を消費して、および、ＣＯ２を生じる。そして、それについては、ｐＨは低下する傾向がある。光合成のアクティビティは、それが可逆反応に影響するため、水体のｐＨレベルに重要な影響を及ぼす。
【０００９】
ＨＣＯ３−  ＋  Ｈ＋    ←――→    ＣＯ２＋Ｈ２Ｏ
結局、岸のダイ（ｓｈｏｒｅ  ｄｉｅ）、および、腐敗に堆積された藻の量は、したがって、嫌気性条件を生じ、健康危険性を示す（例えばボツリヌス菌の形成、絶対嫌気性病原微生物）。一方、水生植物分岐（ａｑｕａｔｉｃ  ｐｌａｎｔ  ｒａｍｉｆｉｃａｔｉｏｎｓ）は分解する有機固体を保持する。そして、それは濃縮酸素消費量を発揮する。
【００１０】
通常、窒素Ｎ、および、リンＰは、制限因子である。微生物成長において、リン酸塩、Ｐは消費され、一方、バクテリアの大部分がＮをＮＨ３の形成の下で同化し、および、それらのわずか一部は、ＮＯ３−としてＮを同化する。反対に、藻はＮＯ３―としてＮを同化し、ほとんどＮＨ３を使用しない。Ｎ源としてより酸素源として、ＮＯ３−を使用することができる多くのバクテリアが存在する。藻の光合成の近似の化学量論によれば、Ｎ：Ｐ比率は、７：１のオーダーである。リービヒ最小法（Ｌｉｅｂｉｇ  ｍｉｎｉｍｕｍ  ｌａｗ）によれば、Ｎ：Ｐ比率は水体の７より非常に高く、Ｐが制限的栄養物質であることを示す；一方、７より非常に低いＮ：Ｐ比率値は、Ｎ制限を意味する。何人かの著者は、Ｐ、および、Ｎ濃度が、それぞれ、０．０１５、および、０．３ｍｇ／ｌより高く、過剰な湖水の藻の成長を生じるのに十分であると提案する。
【００１１】
有機Ｎの主源は、タンパク質、アミノ酸、および、尿素である；一方、無機のＮは、ＮＨ３、ＮＯ３―、ＮＯ２の形である。アンモニアは、有機物質分解の特徴的なプロダクトであり、それは、硝化バクテリアの活動によって亜硝酸塩、および、硝酸塩に微生物学的に酸化されることができる。これらのプロセスは、自然に水中で起こり、生物学的酸素要求量に主要な寄与を構成する。
【００１２】
湖または池のような人工水体が形成されるときに、水質は次第に悪化する。栄養を含む寄与によって、それは、平衡から何らかの状態に到達されることができ、藻、水生植物、バクテリア、昆虫、および、魚が、富栄養化プロセスに対して安定状態で生存し、栄養分の過剰な寄与が藻、および、水生植物の高激増を産出する。これらが死ぬとき、それらは酸素を消費する好気性プロセスのバクテリアによって分解される。酸素が減少するときに、多くの有機剰余は、底に堆積したままである。したがって、混濁度を増加させる沈殿物、および、被害を被っているプロセスを増加させ、悪臭は発生される。水の物理化学的、および、衛生上の品質はそこなわれる。そして、それはレクリエーションの使用の可能性を減少する。
【００１３】
異なる技術がこれらの影響を軽減するために用いられる。例えば、酸素レベルを増加させる通気システム藻、および、水生植物の制御過剰な激増に対する殺藻薬、および、除草剤、栄養を含む寄与を減少させる生物学的濾過装置の使用、藻を減少する魚、および、プランクトン動物、化学製品による栄養分の取込み、有機物質を消化するバクテリアの接種、美的外観を改良する着色剤、藻、および、生植物のメカニック除去、沈殿物の量を減少させるドレッジャの使用、混濁度などを減少させる清浄薬品が該当する。
【００１４】
これらの池の水の特徴、および、品質は、スイミングプールのそれらと非常に異なっている。第１のケースにおいて、異なる種の間の生態学的な平衡は、達成されなければならない、一方で第２のケースにおいて、目的は有機体、および、不純物の除去である。従って、非常に異なった混濁度、色、および、物理化学的な特徴の標準は、受け入れられる。
【００１５】
スイミングプール水に入るための透明に、かつ適当に保つために、濾過システム（主に砂、珪藻土、および、カートリッジ濾過システム）が、用いられる。スイミングプールのタイプに従って、全体の水は、４〜１２時間ごとにフィルターにかけられなければならない。
【００１６】
加えて、有機物質酸化剤、消毒薬、殺藻薬、および、最終的にはｐＨ調節剤、および、除濁装置は、美的、および、衛生上の条件を保つために使用しなければならない。各々の国の規制に従い、スイミングプールは、最小の殺菌性の残渣の濃度または６５０ｍＶ、および、７５０ｍＶの間の永久レドックス電位（ＯＲＰ）レベルを保つことを必要とする。
【００１７】
最適の水質を得るための大きい水体に対するスイミングプール技術の適用は、導入、および、含まれる運転費用の高費用のために、可能でない。
【００１８】
この状況を示すために、もしフィルターをかけられる水体が、以下に記載されるが、チリのスイミングプール（Ｔ＝２  ｅｎ  ＮＣｈ  ２０９、適用に対する例示国）の最小の規制に応じて、２５０，０００ｍ３に適用した例にを、我々が想起することができる。１秒あたり２，９８３リットルはフィルターをかけられることを必要とする。そして、それは都市のための飲料水プラントによって処理される水ボリュームに対応する。オリンピックのスイミングプールは２，５００ｍ３（５０×２５×２ｍ）を有する。そして、それはこの特許出願のアプリケーションの例の考慮されたボリュームの１％に対応する。
【００１９】
スイミングプールの化学製品がこれらのボリュームに適用されることになっているときには、同じことがいえる。本発明のアプリケーションの例の水ボリュームは、４，０００、１０メートル長さのスイミングプールに対応する。
【００２０】
（ＯＲＰ）の測定手段によるスイミングプールおよび温泉の消毒薬の制御は、良好な結果を有し長年の間使われた。ＲＯＰは、消毒薬の酸化するパワーを測定し、または、換言すれば、実濃度独立化学的活性（ｒｅａｌ  ｃｏｎｃｅｎｔｒａｔｉｏｎ−ｉｎｄｅｐｅｎｄｅｎｔ  ｃｈｅｍｉｃａｌ  ａｃｔｉｖｉｔｙ）である。殺菌性の濃度の直接測定はエラーに至ることができる。その理由は、次のことにある。高濃縮でさえ、アクティビティはｐＨ、および、汚染物質の存在に従い減少することができる。事実、研究は、水の細菌生命が酸化剤濃度によりＲＯＰに依存していることを証明した。スイミングプールの望まれていない微生物を除去するために、通常、６５０ｍＶ、および、７５０ｍＶの間のＲＯＰ値は、７，２、および、７，６の間の標準ｐＨで、不変に維持される（先進諸国の一般のスイミングプール規制は、不変に７００ｍＶ以上を必要とする）。これは、高い費用のために大きい水体では可能でない。
【００２１】
先に示された事実は、広く展開できないレクリエーションの使用のスイミングプールのそれらと同様の濾過、および、消毒技術を使用して大きい水体（１５，０００ｍ３オーバー）を維持する。
【００２２】
従って、２５メートルより高い、および、４０メートル程度の透明性レベルを有するスイミングプールまたは熱帯海の美的、および、衛生上の特徴を有する大きい人工の池またはダムはない。
【発明の概要】
【００２３】
本発明によって解決される技術的問題は、ローコストで大きい水体のこれらの特徴を実現することである。
【００２４】
（現状技術）
池、および、ダムのような大きい水量に対する処理プロセスを保護する発明特許は、世界的レベルで見いだされたものである。続いて、最も関連した文書、および、保護されている技術とそれらの関係の解析は、実行される。
【００２５】
海につながった人工の池を保護する発明特許出願ＪＰ４１１５００８、および、ＪＰ７３１０３１１は、海水の精製を目的とする。システムは、池に水の進入は許容し、それが汚染物質を除去するためにデザインされた経路に続き、またはそれが海に後で戻される精製設備につなげられる。明らかに、日本の発明には、本出願において保護することを要求される池のタイプとは関係がない。
【００２６】
発明特許出願ＦＲ２７４０４９３は、繊維ネット、および、コンクリートを具備しているフレキシブルな底で構成されるプールまたは人工の湖を保護する。この発明は、排水システムに液体の拡散を許す境界周辺で、排水システム、および、インジェクタを含む。分析された発明は、人工の池との関係または保護されるプロセスを有しない。
【００２７】
発明特許出願ＪＰ５９２２２２９４は川のための精製工程を保護し、Ｎ、Ｐ、ＢＯＤ（生物学的酸素要求量）、などを除去する湖水は、特定のミネラルで満たした層（ｂｅｄ）を介して水がポンピングすることを意味する。日本の発明は池の水をクリーニングすることを可能とするが、しかし充填層（ｐａｃｋｅｄ  ｂｅｄ）を介して水のポンピングに基づいて、液体を濾過することに同等である。従って、日本の発明には、保護される技術との関係がない。
【００２８】
発明特許出願ＣＮ１２５６２５０は、高分子量、および、直接の深い層濾過を有する無機の凝集剤を有するマイクロ凝集を含む浄水プロセスを保護する。分析プロセスはより高速な、および、より効果的な結果を有するアシストされた凝集に対応するが、しかし、決して、それは新規性または本発明のプロセスの発明レベルに影響を及ぼさない。
【００２９】
先の文献の解析から、保護されるプロセスまたは人工の池が同様に、それらにないと結論付けることが可能である。それは、ローコストでスイミングプールまたは熱帯海と同様の色、透明度、および、清浄度特徴によって、レクリエーションの使用のための１５，０００ｍ３より大きい水体を得ることを可能にする。その理由は、本発明のプロセスにおいて従来の濾過ステップは、前記機能のために設計された吸込み機器で、不純物を含む表層水の移動を起こすと共に、懸濁物質凝集ステップ、および、次のクリーニングによって置換される。入口水を注入することによる表面油、および、構造において具備されるスキマー（表面スロット、および、ゴミ捨場）を介して前記水を排気すること、および、消毒は、制御された酸化パルスの適用によって達成された。
【００３０】
本発明は、大きい水体またはボリュームを得るためのプロセスに関係する（ここで用語の「得る」は、「実現、および、維持」として理解されるはずである）。そこにおいて、構造は、水を含むように提供される（所望の結果を生じる水処置、および、形態のために必要なエレメントを有する）。曇った、および、汚い水を作るパーティクルのセパレーション、および、凝集（維持）プロセスは、実行される。一旦凝集が行われるならば綿状にされた材料が吸込み機器によって吸込されるというような方法で、および、油性材料は、本発明の構造のスキマー（表面スロットまたはダンプ（ｄｕｍｐｓ））を介して除去される。前記構造は所望の目的にかなうために真水を送るパイプを有する。
【００３１】
、本発明は、１５，０００ｍ３より大きい水体のために特に低コストでスイミングプールまたは熱帯海と同様の優れたカラー、高透明度、および、清浄度特徴を有するレクリエーションの使用のための大きい水体またはボリューム、例えばレクリエーションの使用のための人工の池またはダムを得る（すなわち、実現し、維持する）ためのプロセスを具備する。本発明は、また、大きい水ボリュームを含むための構造を開示する。本発明は、また、水から移される粒子材料を引き出すために、吸込みカートまたは吸込み機器を具備する。水処置、および、形態が「低コストのスイミングプールまたは熱帯海に同様の色、透明度、および、清浄度」を有する所望の美的、および、衛生上の結果を得ることを必要とするのを可能にするエレメントについては、本発明のプロセスは、人工の湖または池のような大きい水ボリュームを含むために構造を提供している第１のステップで具備する。
【００３２】
プロセスは、濾過システムを必要とせず、または大量の化学製品を加えずに、サイズ制限のない大きい水晶のような水体を実現し、維持するという可能性を開く所望の特徴が達成されるという以前の技術を超える完全に高い効果がある。
【００３３】
本発明のプロセスは、次の工程（ステップ）またはステージを備えている。
【００３４】
ａ．  １５，０００ｍ３より大きい水体を含むことが可能なスキマーを有する構造を提供する工程と；
ｂ．  １．５ｐｐｍより低い鉄、および、マンガンのレベルを有し、５ＮＴＵより低い混濁度を有するインレット水を前記工程（ａ）の構造に送る工程と；
ｃ．  理想的には、７．８未満の範囲にあるべきである水のｐＨを測定する工程と；
ｄ．  前記工程（ａ）の構造に含まれる前記水に、６００ｍＶの最小のＲＯＰが４時間の最少期間の間、および、４８時間の最大サイクルにおいて水中に制御されて酸化剤を加える工程と；
ｅ．  ０．０２および１ｐｐｍの範囲内の濃度の凝集剤を、６日の最大頻度で加え、前記加えられる凝集剤と共に、前記工程（ａ）の構造の底を、前記構造の底から沈殿する不純物を除去するように吸込み機器でクリーニングする工程と；
ｆ．  前記工程（ｂ）によるインレット水の注入の手段によって、前記表面水を取り除く方法で、前記工程（ａ）の構造に配置された不純物および表面の油の除去ためのシステムの手段によって、不純物を含む表層水、および、表面の油を移動を発生させる工程と；を具備するプロセスである。
【図面の簡単な説明】
【００３５】
【図１】吸込み機器の側面図を示す図である。
【図２】吸込み機器の構造の平面図を示す図である。
【図３Ａ】吸込み機器の構造の正面図を示す図である。
【図３Ｂ】吸込み機器の構造の正面図を示す図である。
【図４Ａ】吸込み機器の権利側面図を示す図である。
【図４Ｂ】吸込み機器の左側面図を示す図である。
【図４Ｃ】吸込み機器の背面図を示す図である。
【図５Ａ】吸込み機器の構造の平面図を示す図である。
【図５Ｂ】吸込み機器の平面図を示す図である。
【図６】吸込み機器を有するクリーニングシステムの概略図を示す図である。
【図７】吸込み機器を有する吸込装置の詳細な概略図を示す図である。
【図８】吸込み機器の概略図を示す図である。
【図９】吸込み機器の構造の概略図を示す図である。
【図１０】本発明の水体の構造の平面図を示す図である。
【発明を実施するための形態】
【００３６】
図１は、次の部品を示す：吸込み機器の可動方向（２）、吸込み接続のための硬質塩化ビニールパイプ（８）、底吸込みのための硬質塩化ビニール管（２７）の底部開口（１４）、サニタリーＴパイプ（９）、鉄骨ラーメン（１０）、自動に油をさされたプラスチックホイール（１２）、ホイール、および、ローラー（１９ｂ）の軸のための支持プレート（１９ａ）、ポリエチレンでできている合成剛毛とプラスチックベースの接触等（２０）、実線のブラシ（２０）を固定するせん孔またはスロットを有する鋼鉄プラテン（２１）。
【００３７】
図２は、可動方向（２）を示す；支持プレート（１９ａ）がホイール、および、ローラー軸（１９ｂ）をホイール（１２）に整列して、更に支持プレート（１９ａ）で支えられることによってさし込まれる高密度ポリウレタンローラー（１１）に対してサポートするために固定されるフレーム（１０）；ブラシライン（１６）は、締まった穴のあいたプラテン（２１）構造によって提供される；および、吸込みライン（２７）は機器の中央ゾーンにおいて見ることができる。そして、壁上の５つの矩形の底部開口を有するＰＶＣ管（１４）によって形成される。そして、同一材料でできているキャップ（１７）で両端を閉じられている。
【００３８】
図３ａ、および、図３ｂにおいて、デバイス構造は、示される。そこにおいて、支持プレート（１）は、フレーム（１０）に引っ張りテンソルで溶接されるのが見られる。亜鉛鍍金鉄ネットワークの上の繊維ガラスで補強される樹脂カバー（６）、横方向の塑性膜フラップ（７）、ローラー（１１）、サニタリＴパイプ（９）を有するサニタリ硬質塩化ビニールパイプ（８）がそれらの下部ブームでホイール（１２）、および、前記Ｔパイプの開口端に付けられたＰＶＣ吸込管またはライン（２７）、開口エリアがインストールされた吸込み容量に比例する開口を有する前記吸込管またはライン（２７）。
【００３９】
図４ａは、可動方向（２）を有する機器の横方向の右図を示す。引っ張りテンソルの支持プレート（１）、一方で、中心からＰＶＣ吹込パイプ（８）がそのベースに付けられる樹脂ファイバカラーを有して現され、この樹脂ファイバカラーは、吸込管を留め、シールするための繊維ガラス強化材（４）で形成され、機器を引っ張り（プリング）、ハンドリングし、および、持ち上げる（リフティング）ためのハンドル（５）と、樹脂カバー（６）と、横方向の膜フラップ（７）と、を有する。図４ｂは、可動方向（２）、および、機器カバー（６）を示している機器の左側面図を示す。図４ｃは、機器カバー（６）を示している機器の背面図を示す。
【００４０】
図５ａは、可動方向（２）を示している機器構造の平面図を示し、図５ｂは、可動方向（２）を示している機器の平面図を示す。
【００４１】
図６は、水体（４１）において配置される吸込機器を有するクリーニングシステムを示す。そこにおいて、排出チャンバ（２８）へのパイプがあり、ホース（３６）を浮かせるためのプラスチックブイ（２９）、舵手のためのプラットフォーム（３０）、および、組み込まれた４サイクル機関、および、保護されたプロペラを有するプリングのためのボート（３１）のデッキオペレータ、後方に引っ張っている管状ラベルをつけられた溶融亜鉛めっき鋼連接棒（３２）、吸込機器（３３）、ボート（３１）から機器（３３）に接続するホース（３４）、吸込ホース（３６）を有する接続ホース（３４）の接続部分（３５）、および、ボート（３１）を有する湖の岸で可動電気吹上げポンプ（３７）を接続する吸込みホース（３６）がある。
【００４２】
図７は、構成化フレーム（１０）を部分的に構成する吸込み機器の縦断面図を示す。引っ張っているボートに機器（３３）（この図に示されない）を接続する引っ張りロッド（３２）、カートの吸込パイプ（２７）とボートに機器を接続しているホース（３４）を接続する対称的な吸込み部分（３８）のセットは、記載されている。この図にもおいて、ホイール（１２）、および、ローラー（１１）のプロジェクションは見える。
【００４３】
図８は、引っ張りボート（３１）、湖の水体（４１）の底において配置される吸込機器（３３）、ボートオペレータのためのルーフドプラットフォーム（３０）の配置、機器（３３）、および、ボート（３１）の間の連接棒（３２）、対称形の吸込エレメント（３８）、および、ボート（３５）のカップリングパイプを有する接続ホース（３４）を示す側面図である。
【００４４】
図９は、このシステムの後部を示す図であり、接続ホース（３４）、引っ張りロッド（３２）、前記接続ホース（３４）の方の全４の機器インレットから対称形の吸込みのためのカップリング部分（３８）のセット、ボートコネクタ（３５）と土地（３７）の吹上げポンプを接続するフロート（２９）を有するホース（３６））、および、排水（２８）に対しリードするパイプを示す。
【００４５】
図１０において、構造の次のエレメントは、観測されることができる：インジェクタが配置されるリサイクルパイプ（３９）；水体の全ての周辺部に沿って配置されるインジェクタ（４０）；構造によって含まれる水体（４１）；フローティング汚染物質、例えば油を有する水の除去のためのスキマー（４２）；水がラグーンに送るために引き出される水インレットライン、および、チャンバ（４３）；限定された自然循環のゾーン（４４）；ラグーンに対する真水を送っているポイント（４５）。
【００４６】
構造の多くのセクターが７日以下の時間間隔においてクリーニングされるという方法でクリーニングが実行されることは、従来のサイズ構造において実行される従来のフィルタリングを置き換えるような方法に相当するということである。
【００４７】
ステップの開示された構造または湖において、酸化生成物（老化）の蓄積を回避するために、それがあるべきである工程（ａ）は、１５０日、好ましくは６０日の最小の全水再生速度を維持した。
【００４８】
あらゆる明らかな変化が本発明の範囲内で包含され得ることは理解され、大きい水体を実現し、維持するプロセスの各々のステップは、下で別に詳述される。
【００４９】
工程（ａ）において、構造または池は、１５，０００ｍ３より大きい大きい水体を含むために提供される。その水処置、および、形態が「低コストのスイミングプールまたは熱帯海に同様の色、透明度、および、清浄度」を有する所望の美的、および、衛生上の結果を得ることを必要とするのを可能にするエレメントを有する。本発明のために特別に設計された構造が特に記載されるときに、本発明の工程（ｂ）から工程（ｆ）を実行するために提供される構造の形態は読者によって知られこととなる。
【００５０】
工程（ｂ）において、および、それが必要であるべき場合、水が完全にマイクロ軟体動物または５ＮＴＵを超える混濁度レベルを含む場合には、水プレフィルタリング、および、処理が湖に組み込まれる水に実行されることができる。それでも、水インレットはマイクロ軟体動物を含むべきでない、および、鉄のような金属またはマグネシウムは前述の範囲を維持されなければならない。換言すれば、本発明のプロセスが従来の濾過プロセスを有しないので、低混濁度水は好ましく、吸込み機器、および、スキマーは、有機、および、無機の汚染物質を含む懸濁したパーティクルの高水準を受ける場合には非効率的である。
【００５１】
工程（ｃ）において、もしｐＨが７．８より高いならば、それは臭化ナトリウムのような臭素塩類を加えることが必要である。そして、常に０．６ｐｐｍの最小の臭化物濃度を保つことが必要である。それは海水の場合、ｐＨ価７．８を超えるにもかかわらず、それが自然に高臭化物レベルを含むと述べるに相当する。したがって、もし人工の池または湖が海水で満たされるならば、それはこのエレメントを加えるのは必要でない。
【００５２】
工程（ｄ）において、４８時間の最大のサイクルで４時間の最小期間の間、水の６００ｍＶの最小のレドックス電位を維持するために、好ましくは、２４時間、酸化剤薬品、例えば、オゾン、ナトリウムまたはカリウム過硫酸塩、塩素誘導体、過酸化水素、臭素誘導剤またはそばに電子塩素処理が加えられる。それが最小の決められた要件を満たすというような方法で、適用された酸化剤の量は適用の間、ＲＯＰの永続的な測定によって制御される。すなわち、酸化剤は、４時間の期間の間、６００ｍＶの中で最小を達成するまで加えられる。
【００５３】
他のファクタの中で、酸化剤のタイプは、費用に依存する。電子塩素処理によって発生される次亜塩素酸塩、および、オゾンは経済的である。なぜなら、それらは、ｉｎ−ｓｉｔｕで発生されるが、高い装置投資を必要としない。
【００５４】
適用された量は、毎日、例えば、変化する多くのファクタに依存する：例えば温度、太陽放射、環境汚染、雨、嵐、使用のレベルなど、要するに、必要な酸化剤量は、ＲＯＰ測定によって決定される。
【００５５】
前述にも関わらず、および、本発明を限定するものではなく、通常使用された濃度、および、酸化剤適用範囲は、表１に示すことができる。
【表１】
0005129386.tif 000002
【００５６】
凝集剤薬品と共に、工程（ｅ）は、湖の底から沈殿する不純物を除去するために工程  （ａ）の構造の凝集剤、および、底をクリーニングする吸込み機器を加えることを含む。
【００５７】
クリーニングは、湖のあらゆるセクターがこのような方法で実行され、７日以下、好ましくは４日ごとの時間間隔においてクリーニングされる。この工程については、スキマーの使用と共に、スイミングプールにおいて使用する従来のフィルタプロセスは、置き換えられる。
【００５８】
この工程（ｅ）で加えられることができる凝集剤の中で、カチオン重合体、例えばＨＩＣＡＴ−１（登録商標）は好まれる。それは２５％の固体を有する生物分解可能な陽イオン高分子電解質で、米国のバックマン研究所によって製造され（それは、チリの国民健康保険によって受け入れられて、および、１００倍より高濃度でスイミングプールにおいて使われることを勧められる）、６日の最大の頻度で、０．０２、および、１ｐｐｍの間の濃度において、好ましくは０．０５ｐｐｍ、２４時間ごとで；または、米国のＡＰ水族館プロダクトによって製造される生物分解可能な陽イオン高分子電解質であるＣｒｙｓｔａｌ  Ｃｌｅａｒ（登録商標）を加えること（それが、１００倍より高濃度の水族館において使われる）、４日の最大の頻度を有し０．０４、および、２ｐｐｍの間の濃度で、好ましくは２４時間ごとに０．１６ｐｐｍとされる。
【００５９】
加えて、この工程は、第四級アンモニウム（例えばｐｏｌｙｑｕａｔｓ）および／または銅の化合物（例えばＣｕＳＯ４  ５Ｈ２Ｏまたは銅のキレート）のような添加殺藻薬を含むことができる。そして、温度、および、日光によって、１ｐｐｂ、および、１．５ｐｐｍの間の銅のレベルを保つ；１０℃、および、３０℃の間の温度領域に対して０．３〜１．５ｐｐｍの銅である。
【００６０】
従来のプールの真空装置のケースであるように、吸込み機器の目的が記載されているプロセスの底のクリーニングだけではないが、前記吸込み機器が凝集剤の使用と共に完全にスイミングプールの従来のフィルタシステムを置き換えることを考慮に入れることは、重要である。さらにまた、プロセスが構造スロットの方へ不純物を有する表面的な水の移動、および、除去を意図するという事実は、吸込み機器の動作を補う。
【００６１】
換言すれば、吸込み機器は当然底（葉、分岐、地球、など）に堆積する材料を除去するだけではなくて、スイミングプール、および、それの場合濾過によって取り除かれる全ての懸濁したパーティクルは羊毛状のもの（ｆｌｏｃｃｕｌｅｓ）（大粒子）にコンバートされ、本発明の機器によって吸入される。そして、したがって、２桁でそれらの除去費用を減少させる。
【００６２】
工程（ｆ）において、不純物および油を有する表面的な水を、本発明のプロセスの工程（ａ）において提供された構造のスキマーを介して、正しい移動、および、除去を確実にする真水の注入のレベルの制御に必要である。
【００６３】
先に言及されるように、より大きい水の大きいボディを実現し、維持するプロセスを実行する本発明では、その１５，０００ｍ３、それは、例証として図１０に示されて、そのように構造を提供するのに必要である。
【００６４】
本発明による構造または池は低透過性材料、例えば粘土、および、ベントナイトで構築されて、ポリ塩化ビニル膜のような非多孔質材料によってコーティングされる底、および、壁を含む。線状の低密度ポリエチレンポリエチレンまたは可能な高密度ポリエチレンの、最少の０．５メーターの深さで、スキマーによって不純物、および、表面的な油を除去するシステムをクリーニングされる。供給パイプシステムで、その真水の入ることによる水交換を可能にし、給水吸入システムは、海水、井戸水、スプリング水または他のソースからの水であることができる；海水の場合、吸入システムが、６メートル以上の深い所に置かれるヘッダまたは油井を介することができる。
【００６５】
本発明のプロセスにおいて提案される技術的問題を解決する構造の関係は、以下の通りに詳述される：
構造は、表面油、および、パーティクルを除去するために、スキマーを有しなければならない。一方、これらがフローティングのグリースまたは固体を除去しないときには、全ての化学的処理工程を実行した後でさえ、それらは、累積し、水質を阻止する。このような方法で、「低コストのスイミングプールまたは熱帯海に同様の色、透明度、および、清浄度特徴」を得る最終的な目的は、これらのスキマーなしでは実現できない。凝集剤−吸込み機器システムと共に真水を入れることによって生じられるスキマーの方への表面的な水の動きのプロセスは、スイミングプールの従来のフィルタシステムを置き換える。
【００６６】
構造は、スキマーを介してフローティング不純物、および、油を取り除く表層水動きが生じることを可能にする真水を送っているパイプを有しなければならない。これらのパイプは、また、記載されている速度で水をよみがえらせるのに必要な真水を与える。一方、酸化サブプロダクトの累積は、それによって、「低コストのスイミングプールまたは熱帯海に同様の色、透明度、および、清浄度特徴」を果たさなくて、化学的処理が非効率的になり、水質を阻止する。
【００６７】
構造は、プロダクト、および、水均質化の効果的なアプリケーションを可能にするインジェクタを有するパイプネットワークを有する。スイミングプールにおいて、これは重要ではない、しかし、大容積水体で、単離された停滞したゾーンの存在は非効率的な消毒処理を作るコンタミネーション中心を作る。そして、したがって、水質を阻止し、および、「ローコストのスイミングプールまたは熱帯海に同様の色、透明度、および、清浄度特徴」を得る基本的な目的にかなわない。
【００６８】
プラスチックライナは、特別な無孔特徴を有しなければならない。スイミングプールにおいてこれが重要でないかもしれないが、しかし大容積水体においてクリーニングが、付着したライニングによって実行不可能となり、および、ダーク層はそれを形成し、所望の結果（すなわち、「ローコストのスイミングプールまたは熱帯海に同様の色、透明度、および、清浄度特徴」）を得ることを可能にしない。
【００６９】
底、および、壁は、低透過性材料、例えば粘土、および、ベントナイトで構築されなければならない。そして非多孔質材料、例えばポリ塩化ビニル膜などで覆われる。もしスイミングプールまたは池の周知の構築している技術が用いられるから、これは、これらの大きい水体を構成することの経済的方法である。「ローコスト」の目的は、得られないからである。
【００７０】
マイクロ軟体動物を回避する方法で、水の取込はされなければならない。リサイクルパイプをブロッキングする他に、前記マイクロ軟体動物は「低コストのスイミングプールまたは熱帯海に同様の色、透明度、および、清浄度特徴」の目的を得ることを防止するダークカラーを生じている表面に付着する。
【００７１】
水取込は鉄、および、マンガンのような金属を有する水を回避しなければならない。なぜなら、この池が従来の濾過を有さず、凝集処理、および、吸込み機器が金属汚染物質を含む無機不純物を除去する場合に非効率的となるからである。
【００７２】
水晶のような構造または池は、この場合、それらのフィルタを介して水を再利用するスイミングプールとは対照的に、スキマー、および、吸込みカートから水または機器が処分されるという理由から、低コスト水を使用することを可能にする水取込を有しなければならない。
【００７３】
本発明のプロセスのための工程（ａ）において提供される構造は、加えて、以下を有する：
１）  淡青色であるか、白いか、淡い黄色の底（ライナ）カラー、熱帯海の色を得る水のために、すなわち「ローコストのスイミングプールまたは熱帯海に同様の色、透明度、および、清浄度特徴」。これは、スイミングプールの場合明らかであるが、大きい池の場合、それらの耐久性、および、底の費用によるダークプラスチックを使用する；それは、記載されている色を有する大きい水体がないからである。例えば、もしプラスチックが黒い（池において通常の）ならば、水が高品質、および、透明度を有した場合であっても、所望の色は得られないだろう。
【００７４】
２）  深さは０．５メートルを超え、好ましくは２、および、５メートルの間である；もし水が色の青緑色の明度に到達しなくて、および、明るい色の水体に似ていることがとても浅いという理由から、深さは「熱帯海に同様の」所望の色を達成するために重要である。さらに、これらの池の最高水位透明度のために、もし深さがとても低いと紫外線侵入を妨げず急速にライナを阻止する。そして、したがって、所望のローコストを得ない。
【００７５】
３）  水均質性を維持して、および、ゾーンを沈滞させることを回避することを可能にするインジェクタを有するパイプによる循環システム。このシステムは、風の強いゾーンにおいて回避されることができる。
【００７６】
４）  それが葉、および、土壌のような有機物質の風、水まき、などの影響をつかんで引きずることを回避するというような方法で、構造は構成されなければならない。
【００７７】
５）  任意に、それは、コーティング、例えば塗装、ポリウレタンまたは繊維ガラスを有するセメントでできていることができる。
【００７８】
従って、構造は、本発明のプロセスのために基本的部分である。前記構造において、それがまた、前記構造のパイプシステムを介して新しい水の注入によって生じられる電流によって、不純物、および、油を含む表層水の移動からなる工程を生じるために可能である。したがって、前記スキマーを介して前記不純物、および、油を除去する。
【００７９】
以下に、本発明の吸込み機器は、詳述する：
本発明のプロセスの工程（ｅ）で実行される構造の底のクリーニングを実行する吸込み機器は、以下を具備する：支持プレート、繊維ガラスで補強される樹脂カラー、引っ張りハンドリング、樹脂カバー、横方向の膜フラップ、スチールフレーム、高密度ポリウレタンローラー、自動に潤滑剤を入れられたプラスチックホイール、吸込み底に対する硬質塩化ビニール管の開口、合成剛毛とのプラスチック―ベースの接触を具備している刷毛筋、および、連続する線のブラシを固定するせん孔またはスロットを有する鋼鉄プラテン、ホイール、および、ローラーの軸のための支持プレート、および、開口（詳細は図の明細書を示す）を有する吸込みＰＶＣ線である。
【００８０】
吸込み機器は、排気システムによって接続ホースを介してダートを吸入することによって操作する。吸込み機器を動かすために推進する機器を含むシステムによって引っ張られている前記機器、例えばボート、例えば、排水チャンバ、浮くためにホースを促進するためのプラスチックブイ、機器を推進するようにボートが用いられる場合に備えて、舵手のためのプラットフォーム、および、ボートのものはデッキオペレータ、船尾で引っ張っている管状ラベルをつけられた溶融亜鉛めっき鋼連接棒、ボート、および、カートの間の接続ホース、接続ホースの間の接続部分、および、構造エッジで配置されるポンプを接続する吸込みホース。いずれにせよ、吸込み機器の推進する機器は、また、吸込み機器を動かすために有効な機器を推進している構造または他のものから配置されるリモート機械的な牽引システムによって形成されることができる。
【００８１】
吸込み機器は、主に構造化フレーム、排気システムに結合する結合手段を有するカバーカーカス、クリーニングされる表面を覆って連続移動するのため回転手段、および、材料を除去するために吸込み機器を介して排気システムから吸込みによってクリーニングされる吸入管およびブラシラインからなるクリーニング手段によって形成される。
【００８２】
カバーカーカスは、構造化フレーム、および、回転、および、吸込み手段をカバーする層状の樹脂ボディを具備する。カバーカーカスの頂部部分から、支持プレートはボートから引っ張りテンソルのために現れる。そして、それは構造化フレームに内部に取り付けられる；その頂部部分で、前記カーカスも、排気システムにカップリングを形成する吸込みＰＶＣ管を備えている。前記吹込管を支持し、シールするためのガラス繊維強化材を有する成形された樹脂ファイバにおいて形成されるカーカスカラーに対するそれらのベースセクションによって付けられる；一方、前記カーカスカラーから樹脂マントル、および、横方向の膜フラップが、カーカスボディを形成するように突設する。また、その頂部部分は、機器を引っ張って、ハンドリングし、および、起こすためのハンドルを有する。
【００８３】
構造化フレームは、高密度ポリウレタンローラー、および、プラスチック自動に潤滑剤を入れられたホイールの軸を具備する回転手段をサポートするための鋼板の位置合わせされたシリーズが支持して接続されるスチールフレームである。穴のあいたかスロット付き鋼鉄プラテンは、同様に、ボルトによってプラスチックのベース、および、合成ポリエチレン剛毛等を有するブラシの連続する線を支持するために付けられる。そして、それは吸入される材料を除去する作業において助ける。リア区域に、引っ張りテンソルの上述した支持プレートは、接続される。
【００８４】
クリーニング手段は、縦型ＰＶＣ管によって形成される吸入管を具備する。そして、上方へカバーカーカスから現れている吹込管に対応する。そして、それに、Ｔ字状のＰＶＣ管はそれらの底部分で付けられる。そして、それは順番に、それらの底部分の吸込口を有する水平管に結合し、池から吸入され、とられるように除去された材料が侵入する。
【００８５】
スイミングプールの真空装置のケースであるように、吸込み機器（吸込みカート）の目的が記載されているプロセスの底のクリーニングだけでないが、前記吸込み機器が凝集剤の使用と共に完全に、スキマーシステムを用いてスイミングプールの従来のフィルタシステムを置き換えることを考慮に入れることは、重要である。
【００８６】
もし全ての上述したエレメントがあるというわけではないならば、水不純物は累積し、水質を阻止する。したがって、本発明の最終的な目的は、低コストですなわち「スイミングプールまたは熱帯海に同様の色、透明度、および、清浄度特徴」を有する水体を得ることは、できない。
【００８７】
（適用例）
低コストでスイミングプールまたは熱帯海に同様の色、透明度、および、清浄度特徴を有するレクリエーションの使用のための１５，０００ｍ３より大きい水体を実現し、維持するために本発明のプロセスを実行することは、次のステップまたはステージで達成された：
人工のラグーンに同様の構造は中央チリの岸において構築された。そして、１キロメートルの長さ、８０，０００ｍ２のエリア、および、２５０，０００ｍ３（３３¨２０´５９．９１¨Ｓ；７１¨３９´１０．１０¨Ｗ）のボリュームを有した。底は粘土、および、ベントナイトを使用して構築され、それは白、および、黄色の色を有する線状の低密度ポリエチレン（ＬＬＤＰＥ）、および、高密度ポリエチレン（ＨＤＰＥ）プラスチックで覆われた。壁は、セメント、および、粘土において構築されて、および、ＬＬＤＰＥ、および、ＨＤＰＥ膜で覆われた。
【００８８】
最小の、および、最大の深さは１．２メートル、および、３．５メートルであり、平均深さ２．８メーターである。
【００８９】
直径１００〜２５０ｍｍのパイプシステムは、周辺でラグーンがリサイクルを容易にするためにへり（ｂｏｒｄｅｒｓ）を付けて全てをインストールした。システムは、プロダクトを注入し、水均質性を維持するために底において配置される全体のラグーン周辺で、１０メートルごとにインジェクタを均一に分配した。スキマーによる不純物、および、表面的な油の除去のためのシステムは、インストールされた。
【００９０】
この構造のための水取込は、ヘッダを介して達成された。インレット水は、０．０８ｐｐｍの鉄、および、０．１５ｐｐｍのマンガンを有し、１．４ＮＴＵの混濁度である。水は７．９３のｐＨ、および、４８ｐｐｍの自然な臭素濃度を有し、その結果として、臭素塩類の追加は必要でなかった。水は、海岸で８ｍの深さで、ヘッダを介して囲いの中に入れられた。吸入は、マイクロ軟体動物をおおうことを回避するために、この深さで実行された。海水のマイクロ軟体動物の存在によって、パイプ壁、および、ラグーン構造に、成長、発現、および、密着性によって問題が生じる。マイクロ軟体動物をおおうことを回避する他の可能な方法は、水プレフィルタリングの使用である。
【００９１】
ＲＯＰ値は、２４時間のサイクルの４時間の間に、６００ミリボルト（ｍＶ）、完全に維持された。これは、酸化剤、例えばオゾン、過酸化水素、カリウム過硫酸塩、電子塩素処理または次亜塩素酸ナトリウムを適用することによって達成された。全ての前者は、良好な結果でテストされた。
【００９２】
１０℃、および、１６℃の間のふん囲気温度、および、１７℃の水温を有する平均九月の日において、電子塩素処理によって発生される０．１１ｐｐｍの次亜塩素酸ナトリウムは適用された。そして、それは４時間以上、６００ｍＶで完全にＲＯＰを維持するために十分だった。塩水を有する作業のとき、このシステムは、有利である。その理由は、次のことにある。付加的な化学製品を加える必要性なしで、電解過程は次亜塩素酸塩の海水の塩化物を変える。
【００９３】
他の国のスイミングプールのために決められた規制、より高ＲＯＰ値（６５０、および、７５０ｍＶの間）は不変に示す。しかし、これは大きい流水量において経済的に現実的でなく、本発明で、２４時間のサイクルの４時間の間に６００Ｖを完全にＲＯＰにつきあうことが大きい水体の微細藻類、および、微生物で成長ものを減少させるのに十分なことを証明された。そして、したがって、水泳のために適当な低コンタミネーション条件を生じる。
【００９４】
６００ｍＶのＲＯＰに曝されるときに、バクテリア大腸菌（細菌病原標識）は１００秒後で死ぬ。および、その結果として、４時間の処理は高殺菌性のパワーを有する。
【００９５】
それが周囲（葉、土壌、水路）から見えるコンタミネーションを受けないというような方法で、この実施例の水体ボリュームは６，０００のよく知られている８メーター長さスイミングプールのボリュームに等しく、構成される。その結果として、スイミングプールと比較してとき、環境から受けられるコンタミネーションは相対的に非常に低い。比例して、人間のコンタミネーションは、また、重要でない与えられた高希釈パワー（ｈｉｇｈ  ｄｉｌｕｔｉｏｎ  ｐｏｗｅｒ）（たとえば、よく知られているプールの４人のスイマーは、ラグーンでの２４，０００人のスイマーに匹敵する）である。
【００９６】
加えて、吸込みカート、および、スキマーによる油、および、表面的な不純物の除去を有する凝集、および、底クリーニングは低有機物質レベルを保つことを可能にする。そして、それは酸化剤の使用を減少させる。
【００９７】
殺藻薬活動は平均銅レベルを周辺で０．３ｐｐｍの水に保つことによって達成された。アプリケーションは塩類がゆっくり溶解するこのような方法の、更に、電流が前記電極に適用される銅電極イオン化プロセスによる閉じられた嚢（水がどの循環システムを通過するかについてチャンバにおいて適用される）の銅の塩類（硫酸銅５水和物）を用いて作られ、銅のイオンは制御方法の媒体に解放される。測定された銅レベルは、１０℃の温度で０．１ｐｐｍ、および３０℃の温度で１．５ｐｐｍの間を変化した（２ｐｐｍは飲料水において許容できると、表４から知る）。
【００９８】
陽イオン綿状になっているポリマーは、加えられた。使用する凝集剤は、循環システムを介してＨＩＣＡＴ−１（登録商標）の０．０４ｐｐｍが日々適用された。
【００９９】
吸込みカートまたは機器を用いて、ラグーンの底のプラスチックは、傾瀉にその後クリーニングされる。機器は吸込み室のシステムを有する。そして、したがって、ポリマーと共に全ての沈殿する不純物を除去する。そして、それによってラグーン（膜）の底を見ることが可能にする。塑性膜をクリーニングする機器はボートによって引っ張られて、および、いかなる残留物層も残さなかった。その理由は、次のことにある。それは微細なクリーニングであり、しゅんせつ作業以外であった。このクリーニング、および、吸引法はラグーンの永続的な、および、底のクリーニングされる日々のこのような方法で、その吸気装置は４日ごとあらゆる膜セクターを通り過ぎる。
【０１００】
水は低風（ｌｏｗ―ｗｉｎｄ）シーズンに１日８時間を操作した循環システムによって動作維持された。そして、結果として、水均質性を保った。インジェクタは、長距離まで構造スロー水を周辺で分配して、および、１０メートルごと配置される。構造にもよって含まれる水が重要な循環を示すと述べられるべきである。風、および、その影響が構造の適切なデザインによって人工の再循環要件を減少させるために可能であるべきであるように、構造にもよって含まれる水が重要な循環を示すと述べられるべきである。そして、したがって、エネルギを節約する。
【０１０１】
この循環システムは、化学製品を適用するために使用した。構造の水は、３０、および、１５０日の間の期間において、完全に再生された。再生の目的は「水老化」を回避することになっていた。そして、それは酸化反応から導き出される二次化合物の形成である。再生は、供給パイプを介して新しい水が独立してリサイクルからインジェクタでその端部をパイプで送ることをとって、実行された。
【０１０２】
表面的な水出口フローは、油、および、表面的な不純物を除去するスキマーによって保たれた。
【０１０３】
添加化学製品の量は、主に温度に依存して、および、スイミングプールにおいて必要なそれらより低い桁である。
【０１０４】
立方メートルにつき全比較維持費は、スイミングプールの通常の費用のほぼ３％であった。
【０１０５】
このアプリケーションの例において、水の物理化学的な条件は、ダイレクトコンタクト（表２を示す）を有するレクリエーションの水のための規制だけに応じないように決定された。飲料水（表４を示す）のための規制にもよった。このケースにおいて適用される海水に、および、スイミングプール（表３を示す）のための規制によって本来の特徴を除いて、残渣の塩素パーマネントを除いては規制のレベルである（応用技術を原因として生じるので適用しない）。
【表２】
0005129386.tif 000003
【表３】
0005129386.tif 000004
【表４】
0005129386.tif 000005
【０１０６】
0005129386.tif 000006
【０１０７】
この例では、従来のスイミングプール、および、熱帯海（その物理化学的な、および、細菌学的特性においてその美的特徴の両方とも）に同様の水質を有する大量の（２５０，０００ｍ３）人工海水池に同様の水体またはボリュームを維持することが可能なことを証明された。達成された特徴は、今まで世界のいかなる既存の人工のラグーンでも、見つからなかった（Ｇｏｏｇｌｅ地球を示す）、および、これは、衛星比較によって保護されたラグーンの透明度および色で示されることができる（３３¨２０´５９．９１¨Ｓ；７１¨３９´１０．１０¨Ｗ）。世界、例えばゴルフコート、および、公的なパークラグーン（レクリエーションの使用、不動産のラグーン、および、旅行者のプロジェクト、および１５，０００ｍ３を超えるダムでさえ）の中に数万存在し、水泳目的（例えば、養魚池が、ブラジル、オーストラリアのダーウィンスイミングプール、カサブランカのＯｒｔｈｌｉｅｂスイミングプール、モロッコのラモスに役立つ）で構築される。
【０１０８】
我々が保護したい人工のラグーンに同様の構造を除いて、我々はいかなる人工水体もこの品質を有する水晶のような水を有する１５，０００ｍ３より高いボリュームを有するものは世界で見つけなかった。そして、それは２５０，０００ｍ３を有する。
【０１０９】
Ｇｏｏｇｌｅ  Ｅａｒｔｈ（登録商標）フォーラム（世界の衛星写真撮影のためのインターネットソフト）において、民族は、空気から示すことができる世界最大のスイミングプールのための２年を捜していた。
【０１１０】
結論は、それらの結果を検討するときに、適用の例のラグーンが明らかに分かる最大の水晶のような水体であるということである。従来のフィルタリング、および、循環システムを使用する世界最大の周知のスイミングプールはコニーアイランド（米国）のＳｕｎｌｉｔｅプールである。そして、１１，３５０立方メートルの水を有する。世界の中に存在している大きい人工水体のままになっている数万において、水はフィルターをかけられない、または、それは部分的にフィルターをかけられるだけである。前述のように、これらのボディの水の特徴は非常にスイミングプールまたは熱帯海から異なっており、それらの使用は制限される。
【０１１１】
大きい水ボリュームにフィルターをかけることは技術的に複雑で、および、非常に費用が高い、および、その結果として、これは水晶のような水体を拡大するための障害である。本発明の吸込み機器は効果的な、および、経済的な方法のポリマーと共に綿状になる懸濁物質（混濁度）を除去する。そして、したがって、フィルタリングを置き換える。
【０１１２】
高費用に加えて、従来のフィルタシステムは、ラグーンの底のクリーニングを行えない。
【０１１３】
本発明特許に記載されている技術、すなわち吸込み機器、および、スキマーによるフィルタリングの交換さらに酸化パルスの制御、それらはプロセスの主要部品であり、適用は無制限の延長、および、ボリュームを有する水晶のようなラグーンの構造を妨げる障害をこわすことを可能にする。そして、したがって、旅行者への適用の新しいフィールドを開く。
【０１１４】
実現されたプロセスの主利点は、レクリエーションの水のための規制、および、実施例の人工のラグーンにおいて得られた結果を比較することによって明示される。加えて、水において得られた透明度のレベルは非常に重要である。そして、透明性は同等であるか３５メートルより高い。そして、それは１５，０００ｍ３より大きくもあり、スイミングプールで大多数でもあるいかなる水体でも見つからない結果である；事実、透明性１，４メーターだけが（表３を示す）スイミングプール規制要求を満たした。
【０１１５】
開示された本発明のプロセスの他の利点は、以下の通りである。
【０１１６】
・低維持費、
・ダイレクトコンタクトを有するレクリエーションの水のための決められた規制は広く果たされる（表２を示す）、および、スイミングプール、および、飲料水規制の相当するパラメータはまた、成し遂げられる（表３、および、４を示す）。
【０１１７】
・混濁度なしで、スイミングプールまたは熱帯海の特徴ターコイズ（ｔｕｒｑｕｏｉｓｅ）色で、および、クリーンな底によって、ラグーンの水は常に絶対に透明である。そして、それはユーザ市民の承認のための最適の視覚の特徴である。
【０１１８】
・酸化剤、殺藻薬、および、最高１００倍低くそれらが従来のスイミングプールにおいて適用されると勧めた殺菌性の濃度の使用；この利点は、ユーザを支持して、および、より環境にやさしい。
【０１１９】
・これらの水体が海または近い自然湖から分離されるように、それらは海洋学的な電流、氷解氷などによって発生される温度変動によってでなく、しかし、環境変数（温度、太陽放射、風）だけによって影響を受ける。実際的な用語において、夏の適用の例のラグーンで、より海のそれらより高いその１０℃の温度は、得られる。
【０１２０】
・スキマーと吸込みによる凝集、および、底クリーニングは従来のスイミングプールのフィルタシステムを置き換える。そして、したがって、非常に低費用で高透明度条件を生じる。沈殿物の除去は酸化剤を消費して、および、アノキシア（ａｎｏｘｉｃ）のゾーンを生じるために前記沈殿物を防止し、それらによって底部薄膜がラグーンの水に魅力的な音楽の調を与えることが可能にする。
【０１２１】
・水体は最適の美の、物理化学的な、および、衛生上の条件を有するサイズ制限なしで構築されることができる。そして、それは大きい観光名所ポールを生じる。
【０１２２】
本発明において開示されるプロセスのより明白な驚かせている影響を作るために、表５は示される。そして、それは適用の例（２５０，０００ｍ３）の水体における両方のクリーニング方法のための費用を示す。
【表５】
0005129386.tif 000007
【０１２３】
「低コストでスイミングプールまたは熱帯海に同様の色、透明度、および、清浄度特徴」の所望の最終結果を得るために、水処置のための必要エレメントを有する水を含んでいる構造、および、所望の結果を得ることを可能にする形態を有することが主要であることを考慮に入れることは、重要である。水処置のための物理化学的なプロセスの単離されたアプリケーションは可能でないし、それは所望の結果を発生しない。
以下に、出願当初の特許請求の範囲の記載を付記する。
［１］  低コストで、優れた色、透明度、および、清浄度特性を有するレクリエーションの使用、例えば湖または人工のラグーンのための１５，０００ｍ３より大きい水体を実施し、維持するプロセスであって：
ａ．  １５，０００ｍ３より大きい水体を含むことが可能なスキマーを有する構造を提供する工程と；
ｂ．  １．５ｐｐｍより低い鉄、および、マンガンのレベルを有し、５ＮＴＵより低い混濁度を有するインレット水を前記工程（ａ）の構造に送る工程と；
ｃ．  理想的には、７．８未満の範囲にあるべきである水のｐＨを測定する工程と；
ｄ．  前記工程（ａ）の構造に含まれる前記水に、６００ｍＶの最小のＲＯＰが４時間の最少期間の間、および、４８時間の最大サイクルにおいて水中に制御されて酸化剤を加える工程と；
ｅ．  ０．０２および１ｐｐｍの範囲内の濃度の凝集剤を、６日の最大頻度で加え、前記加えられる凝集剤と共に、前記工程（ａ）の構造の底を、前記構造の底から沈殿する不純物を除去するように吸込み機器でクリーニングする工程と；
ｆ．  前記工程（ｂ）によるインレット水の注入の手段によって、前記表面水を取り除く方法で、従来のフィルタリングを置き換える前記工程（ｅ）と共に、前記工程（ａ）の構造に配置された不純物および表面の油の除去ためのシステムの手段によって、不純物を含む表層水、および、表面の油を移動を発生させる工程と；を具備するプロセス。
［２］  前記工程（ｂ）の前記送る水は、海水、井戸水、スプリング水または他の源からの水であることができる［１］に係るレクリエーションの使用のための１５，０００ｍ３より大きい水体を実現し、維持するプロセス。
［３］  水のｐＨが７．８より高い場合には、臭化ナトリウムのような臭素塩類を加えて、臭化物濃度を０．６ｐｐｍより高く保つことが必要である［１］に係るレクリエーションの使用のための１５，０００ｍ３より大きい水体を実現し、維持するプロセス。
［４］  前記工程（ｄ）において、加えられる酸化剤は、オゾン、ナトリウムまたはカリウム過硫酸塩、塩素誘導体、過酸化水素、臭素誘導剤または電子塩素処理によるものであることができる［１］に係るレクリエーションの使用のための１５，０００ｍ３より大きい水体を実現し、維持するプロセス。
［５］  前記酸化剤は、４時間の最小期間の間に、好ましくは２４時間のサイクルで、６００ｍＶの最小のＯＲＰを得るように加えられる［１］に係るレクリエーションの使用のための１５，０００ｍ３より大きい水体を実現し、維持するプロセス。
［６］  前記工程（ｄ）に加えて、第四級アンモニウム（ｐｏｌｙｑｕａｔｓ）および／または銅化合物のような殺藻薬は、温度および日光に依存して、１ｐｐｂ、および、１．５ｐｐｍの間の銅のレベルを保つように、加えられる［１］に係るレクリエーションの使用のための１５，０００ｍ３より大きい水体を実現し、維持するプロセス。
［７］  殺藻薬は、１０℃、および、３０℃の間の温度領域に対してそれぞれ０．３、および、１．５ｐｐｍの銅の間の範囲内であるように加えられる［６］に係るレクリエーションの使用のための１５，０００ｍ３より大きい水体を実現し、維持するプロセス。
［８］  前記工程（ｅ）において、前記凝集剤は、好ましくは、０．０２、および、１ｐｐｍの間の濃度で、６日の最大の期間で加えられるカチオン重合体である［１］に係るレクリエーションの使用のための１５，０００ｍ３より大きい水体を実現し、維持するプロセス。
［９］  前記凝集剤の薬品は、好ましくは２４時間ごとに、０．０５ｐｐｍの濃度で適用される［１］に係るレクリエーションの使用のための１５，０００ｍ３より大きい水体を実現し、維持するプロセス。
［１０］  酸化サブプロダクト（老化）の蓄積を回避するために、１５０日の、好ましくは６０日の最小の全水再生速度は、維持されなければならない［１］〜［９］のいずれか１に係るレクリエーションの使用のための１５，０００ｍ３より大きい水体を実現し、維持するプロセス。
［１１］  低コストで、優れた色、透明度、および、清浄度特性を有するレクリエーションの使用、例えば湖または人工のラグーンのための１５，０００ｍ３より大きい水体を大きい水体を含む、［１］〜［１０］において開示したようなプロセスを実行するために特別設計された構造であって、
前記構造は、低透過性材料、例えば粘土、および、ベントナイトで構築される底、および、壁を具備し、
クリーニング可能な、非多孔質材料、例えばポリ塩化ビニルでできている膜、直鎖状低密度ポリエチレンまたは高密度ポリエチレンで覆われ；
前記構造の深さが好ましくは０．５メートル以上であり；
前記構造は、表層水、真水プッシュによって生じられる移動によって水除去を可能にし真水を送っているパイプシステムと相互に作用するスキマーによって不純物、および、表面油の除去のシステムを更に備えている構造。
［１２］  前記工程（ａ）の構造は、任意に、コーティング、例えば塗装、ポリウレタンまたは繊維ガラスを有するセメントでできている［１１］に係る１５，０００ｍ３より大きい水体を含む構造。
［１３］  前記構造の前記非多孔質材料は、熱帯海の体裁を有する水を可能とする淡青色、白色、または黄色を有することができる［１１］に係る１５，０００ｍ３より大きい水体を含む構造。
［１４］  前記構造は、２〜５メートル以内の好ましい深さを有する［１１］に係る１５，０００ｍ３より大きい水体を含む構造。
［１５］  前記構造は、また、インジェクタを有するパイプを使用する循環システムを有し、この循環システムは、ゾーンを沈滞させることを回避することによって水均質性を維持することを可能にし、および、化学製品のアプリケーションを可能にする［１１］に係る１５，０００ｍ３より大きい水体を含む構造。
［１６］  前記構造は、また、水が前記構造に送るために引き出される水インレットライン、および、水インレット室を有する［１１］に係る１５，０００ｍ３より大きい水体を含む構造。
［１７］  低コストで、優れた色、透明度、および、清浄度特性を有するレクリエーションの使用、例えば湖または人工のラグーンのための１５，０００ｍ３より大きい水体を大きい水体を含むことが可能な構造の底をクリーニングするための吸込み機器であって、
前記機器は、前記構造の排気システムを介してダートを吸込することによって操作し、
前記機器は、構造化フレームと、排気システムに結合する結合手段を有するカバーカーカスと、
クリーニングされる表面上の連続移動するための回転手段と、吸込管とクリーニングされる材料を除去するブラシラインとからなるクリーニング手段とを具備する機器。
［１８］  前記カバーカーカスは、構造化フレーム、回転手段、および、クリーニング手段をカバーする層状の樹脂ボディを具備し；
その頂部部分で、それは、引っ張りテンソルとカップリングするための支持プレートと、機器をプリングし、ハンドリングし、リフティングするためのハンドルと、下に突設するカーカスボディを形成するマントル、および、横方向の膜フラップからの一連のカラーとを具備する［１７］に係る吸込み機器。
［１９］  吹込管は、排気システムを有する頂部部分を介して、そしてその底部分を介して、前記機器のクリーニング手段に接続される前記カーカスのカバーカラーに結合する［１８］に係る吸込み機器。
［２０］  前記構造化フレームは、その底部分で前記回転手段の軸を支持するための支持プレートの位置合わせされたシリーズを有するスチールフレームと、
プラスチックのベース、および、合成ポリエチレン剛毛等を有するブラシの連続する線をボルトによって支持する、穴のあいた、またはスロット付きの鋼鉄プラテンと、を具備し、
一方で、前記カバーカーカスの頂部部分を介して現れる引っ張りテンソルのための支持プレートがその上部に付けられる［１７］に係る吸込み機器。
［２１］  前記回転手段は、高密度ポリウレタンローラー軸、および、自動に潤滑剤を入れられたプラスチックホイールを具備する［１７］に係る吸込み機器。
［２２］  前記クリーニング手段は、縦型ＰＶＣ管によって形成される吸込管を具備し、
上方へ前記カバーカーカスから現れている吹込管に対応し、
Ｔ字状のＰＶＣ管がそれらの底部分で付けられ、
順番に、池かスイミングプールから吸込され取り除かれるように侵入する除去される材料が、それらの底部分の吸込口を有する水平管に結合される［１７］に係る吸込み機器。
［２３］  吸込口を有する水平管は、それらの端部で閉じているキャップを運ぶ［２２］に係る吸込み機器。
【符号の説明】
【０１２４】
１…支持プレート、２…可動方向、６…樹脂カバー、８…硬質塩化ビニールパイプ、９…Ｔパイプ、１０…鉄骨ラーメン、１２…プラスチックホイール、１９ａ…支持プレート、１９ｂ…ローラー、２１…鋼鉄プラテン。
【図１】
0005129386.tif 000008
【図２】
0005129386.tif 000009
【図３Ａ】
0005129386.tif 000010
【図３Ｂ】
0005129386.tif 000011
【図４Ａ】
0005129386.tif 000012
【図４Ｂ】
0005129386.tif 000013
【図４Ｃ】
0005129386.tif 000014
【図５Ａ】
0005129386.tif 000015
【図５Ｂ】
0005129386.tif 000016
【図６】
0005129386.tif 000017
【図７】
0005129386.tif 000018
【図８】
0005129386.tif 000019
【図９】
0005129386.tif 000020
【図１０】
0005129386.tif 000021